(57)【要約】【課題】多層光ディスクにデータを記録し、確実な再生を可能とする。【解決手段】Ｌ０層及びＬ１層を有する多層光ディスクにユーザデータを記録する際に、Ｌ１を予めフォーマットしてダミーデータを記録してしまう。その後、Ｌ０にユーザデータを記録する。Ｌ０の途中でユーザデータ記録が終了しても、Ｌ１のうちＬ０の既記録領域１００に対応する領域２００は常に既記録状態であり、再生専用ディスクとの互換性が維持され、データ記録直後に再生専用ドライブでのユーザデータの再生が可能となる。【選択図】図３
2007299447.tif 000002
【特許請求の範囲】
【請求項１】
少なくとも第１層及び第２層を備えた多層光ディスクにユーザデータを記録する光ディスク装置であって、
前記第１層にユーザデータを記録するに先立ち、少なくとも前記第２層にダミーデータを記録するダミーデータ記録手段と、
前記第２層に前記ダミーデータを記録した後に、前記第１層にユーザデータを記録するユーザデータ記録手段と、
を有することを特徴とする光ディスク装置。
【請求項２】
請求項１記載の装置において、
前記ダミーデータ記録手段は、前記第２層に間欠的に前記ダミーデータを記録することを特徴とする光ディスク装置。
【請求項３】
少なくとも第１層及び第２層を備えた多層光ディスクにユーザデータを記録するデータ記録方法であって、
前記第１層にユーザデータを記録するに先立ち、少なくとも前記第２層にダミーデータを記録するフォーマットを実行し、
前記ダミーデータを記録した後に、前記第１層にユーザデータを記録する
ことを特徴とするデータ記録方法。
【請求項４】
請求項３記載の方法において、
前記ダミーデータは間欠的に記録されることを特徴とするデータ記録方法。
【発明の詳細な説明】
【技術分野】
【０００１】
本発明は光ディスク装置及びデータ記録方法に関し、特に多層光ディスクへのユーザデータ記録方法に関する。
【背景技術】
【０００２】
ＤＶＤには片面１層の再生専用ＤＶＤの他、片面２層の再生専用ＤＶＤ、書込可能な１層あるいは２層のＤＶＤ±ＲやＤＶＤ±ＲＷ等が存在する。２層ＤＶＤでは、１層目、２層目ともに内周から外周に向けてトラックが形成されている他、１層目は内周から外周に向けて形成されており、２層目は逆に外周から内周に向けてトラックが形成されている場合もある。
【０００３】
このような２層ＤＶＤにおいて、１層目からユーザデータを記録する場合、データ記録が２層目のデータ領域の途中、あるいは２層目を全く記録することなしに終了する場合が考えられ、２層目のデータ領域内に未記録領域を残した状態となる。このように、１層目のみにデータが記録され、２層目にデータが記録されていない状態では、再生専用の２層ＤＶＤとの互換性が維持されず（再生専用ＤＶＤでは１層目、２層目ともにデータが記録されている）、再生専用ドライブでユーザデータが記録されている１層目を再生することが困難となる。
【０００４】
下記の特許文献には、上記の問題を指摘するとともに、 第１の記録層の少なくともデータ領域内に既記録領域が存在するか否かを判別し、第１の記録層に既記録領域が存在する場合に当該第１の記録層を除く第２の記録層内の前記既記録領域と同一半径位置に相当する領域のうちの未記録領域に対して光ディスクに対する記録完了前の所定タイミングでダミーデータを記録する対応未記録領域データ埋込工程を実行することが開示されている。また、光ディスクのフォーマットをバックグラウンドで行う際に、バックグラウンドフォーマット処理中にユーザからのデータ記録要求を受けた場合にバックグラウンドフォーマットを中断してダミーデータを記録することが開示されている。
【０００５】
図５に、従来技術の処理フローチャートを示す。第１の記録層（１層目）をＬ０、第２の記録層（２層目）をＬ１とすると、まずＬ０にユーザデータを記録する（Ｓ１０１）。ユーザデータを記録した後、Ｌ１のうちＬ０の記録済領域に対応する領域は未記録か否かを判別する（Ｓ１０２）。未記録でなければ再生専用ディスクとの互換性が維持されているため、そのまま再生専用装置（ドライブ）で再生することができる（Ｓ１０４）。一方、Ｌ１に未記録領域が存在すると判別された場合には、Ｌ１の対応する領域に所定のダミーデータを記録して未記録領域を記録済領域に変える（Ｓ１０３）。再生専用ディスクとの互換性を維持した後、再生専用ドライブで当該光ディスクを再生する（Ｓ１０４）。
【０００６】
【特許文献１】特開２００５−９３０３２号公報
【発明の開示】
【発明が解決しようとする課題】
【０００７】
しかしながら、第１層のデータ記録終了後に第２層のうちの第１層既記録領域に対応する領域が未記録か否かを判別し、判別結果に応じて第２層の未記録領域にダミーデータを記録する構成では、判別処理及びダミーデータ書込処理に時間を要してしまう問題がある。バックグラウンド処理でフォーマットを行う際にフォーマットを中断してダミーデータを書き込む場合も同様であり、ダミーデータの書込時間が必要であるため、最終的にデータを記録して光ディスクを排出できるまでに時間を要することになる。
【０００８】
本発明は、上記従来技術の有する課題に鑑みなされたものであり、その目的は、ユーザデータの記録終了後のダミーデータの書込処理を不要化し、これにより処理時間を短縮できる装置及び方法を提供することにある。
【課題を解決するための手段】
【０００９】
本発明は、少なくとも第１層及び第２層を備えた多層光ディスクにユーザデータを記録する光ディスク装置であって、前記第１層にユーザデータを記録するに先立ち、少なくとも前記第２層にダミーデータを記録するダミーデータ記録手段と、前記第２層に前記ダミーデータを記録した後に、前記第１層にユーザデータを記録するユーザデータ記録手段とを有することを特徴とする。
【００１０】
また、本発明は、少なくとも第１層及び第２層を備えた多層光ディスクにユーザデータを記録するデータ記録方法であって、前記第１層にユーザデータを記録するに先立ち、少なくとも前記第２層にダミーデータを記録するフォーマットを実行し、前記ダミーデータを記録した後に、前記第１層にユーザデータを記録することを特徴とする。
【発明の効果】
【００１１】
本発明によれば、第１層へのユーザデータ記録に先立って第２層にダミーデータを記録するので、第２層のうち第１層の既記録領域に対応する領域は既記録領域となっており、ユーザデータの記録直後に第１層のユーザデータを再生することができる。
【発明を実施するための最良の形態】
【００１２】
以下、図面に基づき本発明の実施形態について説明する。
【００１３】
図１に、本実施形態に係る光ディスク装置の全体構成図を示す。ＤＶＤ±Ｒ、ＤＶＤ±ＲＷ、ＤＶＤ−ＲＡＭ等の記録可能な光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１４】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２は、オートパワーコントロール回路（ＡＰＣ）２４により、駆動電流が所望の値となるように制御される。ＡＰＣ２４及びドライバ２２は、システムコントローラ３２からの指令によりＬＤの発光量を制御する。図ではドライバ２２は光ピックアップ１６と別個に設けられているが、ドライバ２２を光ピックアップ１６に搭載してもよい。
【００１５】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。
【００１６】
アドレス信号の１つの例はウォブル信号であり、光ディスク１０の絶対アドレスを示す時間情報の変調信号で光ディスク１０のトラックをウォブルさせ、このウォブル信号を再生信号から抽出しデコードすることでアドレスデータ（ＡＴＩＰ）を得ることができる。また、ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００１７】
光ディスク１０にデータを記録する際には、ホスト装置からの記録すべきデータはインタフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは記録品質に影響することから、データ記録に先立って最適化が行われる。すなわち、光ディスク１０の所定のテストエリアにおいて記録ストラテジを種々変化させてテストデータを試し書きし、試し書きしたテストデータを再生してその信号品質を評価する。そして、評価結果に基づいて最適な記録ストラテジが選択される。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００１８】
システムコントローラ３２は、システム全体の動作を制御し、特に記録に先立つＯＰＣ（Optimum Power Control：記録パワーの最適化）と、記録ストラテジの最適化を実行する。ＯＰＣでは、光ディスク１０のテストエリアに記録パワーを階段状に変化させてテストデータを試し書きし、試し書きしたテストデータを再生してそのβ値やγ値、変調度、エラーレート等を測定する。そして、エラーレート等の再生信号品質が所望の値となる記録パワーを選択して最適記録パワーＰｏとする。システムコントローラ３２は、選択した記録パワーＰｏとなるようにドライバ２２を制御する。記録ストラテジの最適化では、光ディスク１０の種類毎に記録ストラテジを変化させてテストデータを試し書きし、テストデータを再生してエラーレート等を測定し、特定の評価基準に従って各記録ストラテジを評価する。
【００１９】
このような構成において、光ディスク１０が２層ＤＶＤ−Ｒ等の記録可能多層光ディスクである場合、１層目から記録を開始し１層目の途中、あるいは２層目の途中でユーザデータの記録が終了すると、２層目のうちの１層目の既記録領域に対応する領域に未記録領域が存在することになり、再生専用ドライブで１層目を再生する場合でも目的アドレスへのシークで２層目へレーザ光の焦点があったとき、２層目にデータが記録されていないとアドレス情報が取得できず、１層目のデータが再生できない問題が生じる。あるいは、４分割フォトディテクタの位相差信号（半径方向に分割したフォトディテクタそれぞれからの２つの信号の位相差信号に基づきトラッキングエラー信号を生成する場合においてデータが記録されていない場合にはトラッキングエラー信号が生成できずトラッキングサーボがかからない問題が生じる。
【００２０】
一方、従来技術のように、２層目のうちの１層目の既記録領域に対応する領域に未記録領域が存在する場合に２層目にダミーデータを記録して未記録領域を埋める埋込処理を実行するのでは、処理に時間を要してしまいユーザの利便性が低下する。
【００２１】
そこで、本実施形態におけるシステムコントローラ３２は、たとえ１層目の途中あるいは２層目の途中でユーザデータの記録が終了しても、２層目のうちの１層目の既記録領域に対応する領域に未記録領域が存在しないように、光ピックアップ１６及びライトストラテジ回路４２を駆動して予め２層目にダミーデータを記録してしまう。すなわち、ユーザがユーザデータを１層目に記録する前に、前もって２層目にダミーデータを記録してしまうのである。このような前処理を実行することで、２層目の全域は既記録領域となり、従来のように２層目のうちの１層目の既記録領域に対応する領域が未記録であるか否かを判別する処理も不要となり、かつ、ユーザデータ記録後に未記録領域をダミーデータで埋め込む処理も不要となる。ダミーデータはランダムデータでもよく、あるいはデータ長３Ｔのみのデータでもよい。また、ダミーデータを記録する際の記録パワーあるいはストラテジはユーザデータを記録する際の最適パワー及び最適ストラテジでよいが、必ずしも最適化する必要はない。
【００２２】
図２に、本実施形態の処理フローチャートを示す。Ｌ０へのユーザデータの記録に先立ちＬ１層をフォーマットし、このフォーマット処理においてＬ１のユーザデータ領域の全域にダミーデータを記録してしまう（Ｓ２０１）。Ｌ１のフォーマットが完了した後に、Ｌ０にユーザデータを記録する（Ｓ２０２）。Ｌ０へのユーザデータの記録が終了した場合、Ｌ１にはダミーデータが既に存在するため、データ記録直後に再生専用装置でＬ０のユーザデータを再生することができる（Ｓ２０３）。
【００２３】
なお、光ディスクが書換可能な光ディスクの場合にはＬ１へダミーデータを記録してもその後にユーザデータを上書きすることができるため記憶容量の低下はないが、ＤＶＤ−Ｒ等の書換不能な光ディスクの場合には、Ｌ１のユーザデータ領域の全域にダミーデータを記録してしまうとその分だけ記憶容量が低下してしまう。したがって、この場合には記録すべきユーザデータ量からＬ０のどの領域まで既記録領域となるかを演算で算出し、Ｌ１のうちＬ０の予想既記録領域に対応する領域のみＬ１のフォーマットでダミーデータを記録してもよい。
【００２４】
図３に、本実施形態における光ディスクのデータ記録の様子を示す。第１層であるＬ０からデータを記録するものとすると、Ｌ０の記録に先立ちＬ１にはダミーデータ（図中斜線で示す）が既に記録されている。この状態でＬ０にユーザデータを記録する。ユーザデータの記録が終了した時点では、Ｌ１のうちＬ０の既記録領域１００に対応する領域２００は既記録領域であり、再生専用ディスクと同一の条件となる。従って、ユーザデータの記録直後に光ディスクを光ディスク装置から排出し、再生専用装置に挿入してＬ０のユーザデータを再生することができる。
【００２５】
なお、Ｌ１にダミーデータを記録する際に、Ｌ１のユーザデータ領域を隙間なく埋めるようにダミーデータを記録するのではなく、間欠的にダミーデータを記録してもよい。ダミーデータはあくまでＬ０のユーザデータ再生を可能とする程度に記録されていればよいからである。したがって、例えば複数のＥＣＣブロック単位でダミーデータの記録／未記録を繰り返し、間欠的にダミーデータを記録してもよい。図４に、ダミーデータを間欠的に記録する場合を模式的に示す。当初は所定の間隔でダミーデータを間欠的に記録し、Ｌ０に記録されたユーザデータが再生できない場合に、所定の間隔を徐々に短くするように調整してもよい。
【００２６】
また、本実施形態では、ユーザデータの記録に先立ちＬ１にダミーデータを記録しているが、ＤＶＤ−ＲＷ等の書換可能な光ディスクではＬ０及びＬ１の両層にダミーデータを記録してもよい。ユーザデータをＬ０に記録する際には、ダミーデータを上書きして記録することになる。
【００２７】
また、本実施形態では、ユーザデータの記録に先立つフォーマット処理において、Ｌ１にダミーデータを記録しているが、光ディスクの工場出荷段階においてＬ１にダミーデータを記録しておき、ユーザが光ディスクを購入した時点で既にＬ１にダミーデータが記録されたフォーマット済状態としてもよい。
【図面の簡単な説明】
【００２８】
【図１】光ディスク装置の構成ブロック図である。
【図２】実施形態の処理フローチャートである。
【図３】光ディスクのデータ記録説明図である。
【図４】光ディスクの他のデータ記録説明図である。
【図５】従来技術の処理フローチャートである。
【符号の説明】
【００２９】
１０  光ディスク、１６  光ピックアップ、３２  システムコントローラ、Ｌ０  第１層、Ｌ１  第２層。
【図１】
2007299447.tif 000003
【図２】
2007299447.tif 000004
【図３】
2007299447.tif 000005
【図４】
2007299447.tif 000006
【図５】
2007299447.tif 000007
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
少なくとも第１層及び第２層を備えた多層光ディスクにユーザデータを記録する光ディスク装置であって、
前記第１層にユーザデータを記録するに先立ち、少なくとも前記第２層にダミーデータを記録するダミーデータ記録手段と、
前記第２層に前記ダミーデータを記録した後に、前記第１層にユーザデータを記録するユーザデータ記録手段と、
を有することを特徴とする光ディスク装置。
【請求項２】
請求項１記載の装置において、
前記ダミーデータ記録手段は、前記第２層に間欠的に前記ダミーデータを記録することを特徴とする光ディスク装置。
【請求項３】
少なくとも第１層及び第２層を備えた多層光ディスクにユーザデータを記録するデータ記録方法であって、
前記第１層にユーザデータを記録するに先立ち、少なくとも前記第２層にダミーデータを記録するフォーマットを実行し、
前記ダミーデータを記録した後に、前記第１層にユーザデータを記録することを特徴とするデータ記録方法
【請求項４】
請求項３記載の方法において、
前記ダミーデータは間欠的に記録されることを特徴とするデータ記録方法。
【請求項５】
少なくとも第１層及び第２層を備えた多層光ディスク媒体であって、
あらかじめ前記第２層にダミーデータが記録されることにより、前記第２層のみがフォーマット済みとされていることを特徴とする多層光ディスク媒体。
【手続補正３】
【補正対象書類名】明細書
【補正対象項目名】０００１
【補正方法】変更
【補正の内容】
【０００１】
本発明は光ディスク装置、データ記録方法及び多層光ディスク媒体に関し、特に多層光ディスクへのユーザデータ記録方法に関する。
【手続補正４】
【補正対象書類名】明細書
【補正対象項目名】００１０
【補正方法】変更
【補正の内容】
【００１０】
また、本発明は、少なくとも第１層及び第２層を備えた多層光ディスクにユーザデータを記録するデータ記録方法であって、前記第１層にユーザデータを記録するに先立ち、少なくとも前記第２層にダミーデータを記録するフォーマットを実行し、前記ダミーデータを記録した後に、前記第１層にユーザデータを記録することを特徴とする。さらに、本発明は、少なくとも第１層及び第２層を備えた多層光ディスク媒体であって、あらかじめ前記第２層にダミーデータが記録されることにより、前記第２層のみがフォーマット済みとされていることを特徴とする。